(57)【要約】【課題】  熱転写印刷工法の重ね印刷において、インクの割れ（断裂）を防止することができる印刷構造を提供すること。【解決手段】  インクがない部分を有することで間欠状のインクの配置となる青色印刷層４及び赤色印刷層５と、インクが１面に有することで連続したインクの配置となるベタ印刷層２，２１，２２とを有し、少なくともベタ印刷層２，２１，２２と、複数の青色印刷層４及び赤色印刷層５を重ね印刷する印刷構造において、複数重なる青色印刷層４及び赤色印刷層５の間にベタ印刷層２１，２２を挟む。【選択図】        図１
2008256996.tif 000002
【特許請求の範囲】
【請求項１】
波長透過特性の異なる複数の印刷層を有する透光性のあるシートに、波長の異なる複数の光源の光を切り換えて投光し、同じ位置で重なる複数の表示が切り換えて行われる可変表示において、
インクがない部分を有することで間欠状のインクの配置となる間欠印刷層と、
インクが１面に有することで連続したインクの配置となるベタ印刷層と、
を有し、少なくとも前記ベタ印刷層と、複数の前記間欠印刷層を重ね印刷する印刷構造であって、
複数重なる前記間欠印刷層の間に前記ベタ印刷層を挟む、
ことを特徴とする印刷構造。
【請求項２】
請求項１に記載の印刷構造において、
前記間欠印刷層は、
第１光源の波長のみを透過させる第１印刷層と、第２光源の波長のみを透過させる第２印刷層で構成し、
前記第１光源と前記第２光源の波長を透過させない背景印刷部分を、前記第１印刷層と前記第２印刷層を重ねることで構成した、
ことを特徴とする印刷構造。
【請求項３】
請求項１または請求項２に記載の印刷構造において、
前記ベタ印刷層は、複数の前記光源の光を透過させ、且つ調光を行う層であることを特徴とする印刷構造。
【請求項４】
請求項１〜請求項３に記載の印刷構造において、
印刷は熱転写印刷であり、前記間欠印刷層の１層は、前記ベタ印刷層の１層よりも厚みが大きい、
ことを特徴とする印刷構造。
【請求項５】
請求項１〜請求項４に記載の印刷構造において、
複数重なる前記間欠印刷層は、
同じ間欠状のインクの配置である印刷層が連続して重ならないよう異なる間欠状のインク配置となっている印刷層を間に挟む、
ことを特徴とする印刷構造。
【発明の詳細な説明】
【技術分野】
【０００１】
本発明は、不均一な厚さとなるインク印刷面に、さらにインクを重ね印刷する印刷構造の技術分野に属する。
【背景技術】
【０００２】
従来においては、インクにインクを重ねるいわゆる重ね印刷において、インクを吐出する吐出口を有する記録ヘッドを用いて記録媒体に画像記録を行うインクジェットプリンタであり、主走査方向の往復動作を伴って前記記録媒体にプロセスカラーのインクを吐出するシリアル方式のシリアル記録ヘッドと、主走査方向に延在する吐出口を有し前記記録媒体の全面に同色のインクを吐出するライン方式のライン記録ヘッドとを備えている（例えば、特許文献１参照。）。
【０００３】
また、拡散シートの片面に、第１光源の波長のみを透過させる第１印刷部分と、第２光源の波長のみを透過させる第２印刷部分と、第１光源の波長と第２光源の波長を透過させない背景印刷部分とを設け、拡散シートの第１印刷部分を設けた面と反対側の面に施された、第１表示と第２表示の重複する部分と重なる部分で、第１光源及び第２光源の光を抑制する調光印刷部を設けた可変表示構造もある（例えば、特許文献２参照。）
【特許文献１】特開２００５−１３８３９８号公報（第２−９頁、全図）
【特許文献２】特開２００５−２５７９３８号公報（第２−１０頁、全図）
【発明の開示】
【発明が解決しようとする課題】
【０００４】
しかしながら、従来の重ね印刷において、光を吸収する領域を形成する場合、色の濃い印刷が必要となる。しかし、印刷色が濃いということは、顔料などの成分が多くなり、その分印刷層の厚みが大きくなり、インクの割れ（断裂）が発生してしまう。
【０００５】
特に可変表示構造のように、熱転写印刷工法によって、フィルタ層（印刷層）を生成する場合、この不具合が顕著になる。
また、従来の印刷構造は遮光用の黒い印刷が必要であり、黒印刷を行う工程が追加される。この場合には、黒色印刷のみで遮光を行うため、２層の黒色印刷が必要となってしまう。また、印刷ずれの対策としては、太らせ印刷が必要となっていた。このように、重ね印刷において、層の厚みを大きくする必要は頻繁に生じ、また、不均一な厚さも多く生じてしまうものであり、よりいっそうインクの割れ（断裂）の不具合が顕著に発生してしまうものであった。
【０００６】
本発明は、上記問題点に着目してなされたもので、その目的とするところは、熱転写印刷工法の重ね印刷において、インクの割れ（断裂）を防止することができる印刷構造を提供することにある。
【課題を解決するための手段】
【０００７】
上記目的を達成するため、本発明では、波長透過特性の異なる複数の印刷層を有する透光性のあるシートに、波長の異なる複数の光源の光を切り換えて投光し、同じ位置で重なる複数の表示が切り換えて行われる可変表示において、インクがない部分を有することで間欠状のインクの配置となる間欠印刷層と、インクが１面に有することで連続したインクの配置となるベタ印刷層と、を有し、少なくとも前記ベタ印刷層と、複数の前記間欠印刷層を重ね印刷する印刷構造であって、複数重なる前記間欠印刷層の間に前記ベタ印刷層を挟む、ことを特徴とする。
【発明の効果】
【０００８】
よって、本発明にあっては、熱転写印刷工法の重ね印刷において、インクの割れ（断裂）を防止することができる。
【発明を実施するための最良の形態】
【０００９】
以下、本発明の請求項１〜４に係る可変表示構造を実現する実施の形態を、実施例１に基づいて説明する。
【実施例１】
【００１０】
本実施例は、実施例１の印刷構造を用いた可変表示構造の例である。
まず、構成を説明する。
図１は実施例１の可変表示構造のカラーフィルタの正面図である。
カラーフィルタ１は、同じ位置で第１表示１１、つまり「Ａ」と第２表示１２、つまり「Ｅ」を切り替えるように表示させるものであり、第１フィルタ部１ａ、第２フィルタ部１ｂ、第３フィルタ部１ｃ、第４フィルタ部１ｄからなる。
【００１１】
第１フィルタ部１ａは、第２表示１２の「Ｅ」の第１表示１１の「Ａ」と重ならない部分であり、青色の見える部分である。
第２フィルタ部１ｂは、第１表示１１の「Ａ」の第２表示１２の「Ｅ」と重ならない部分であり、赤色に見える部分である。
第３フィルタ部１ｃは、第１表示１１の「Ａ」と第２表示１２の「Ｅ」との重なる部分である。
第４フィルタ部１ｄは、第１表示１１及び第２表示の背景となる黒色部分である。
【００１２】
図２は実施例１の印刷構造における各印刷層を示す説明図である。
実施例１では、具体的に印刷される層として、ベタ印刷層２、中間色印刷層３、青色印刷層４、赤色印刷層５を用いることになる。
ベタ印刷層２は、カラーフィルタ１のほぼ全面を覆うベタな印刷部分である。
中間色印刷層３は、第１表示１１と第２表示、つまり「Ａ」と「Ｅ」の重なる部分の印刷層である。
【００１３】
青色印刷層４は、カラーフィルタ１のほぼ全面から、第１表示１１の「Ａ」を繰り抜いた形状の青色の印刷層である。
赤色印刷層５は、カラーフィルタ１のほぼ全面から、第２表示１２の「Ｅ」を繰り抜いた形状の赤色の印刷層である。
【００１４】
図３は図１のＡ−Ａ断面図である。
カラーフィルタ１は、PCシート６上に図２に示した各印刷層を転写したものである。
ベタ印刷層２は、輝度を調整するための調光するスモーク印刷層をベタ印刷層２とし、全体の調光を行うためのベタ印刷層２１と、ベタ印刷層２２をさらに設けるものとする。
【００１５】
実施例１の印刷構造は、図３に示す断面構成となる。
まず、第１フィルタ部１ａは、表面側からPCシート６に向かって、ベタ印刷層２→空隙→青色印刷層４→空隙→ベタ印刷層２１→青色印刷層４→空隙→ベタ印刷層２２→PCシート６となる。
【００１６】
次に、第２フィルタ部１ｂは、表面側からPCシート６に向かって、ベタ印刷層２→空隙→赤色印刷層５→ベタ印刷層２１→空隙→赤色印刷層５→ベタ印刷層２２→PCシート６となる。
【００１７】
次に、第３フィルタ部１ｃは、表面側からPCシート６に向かって、ベタ印刷層２→ベタ印刷層２→ベタ印刷層２１→ベタ印刷層２２→PCシート６となる。
【００１８】
次に、第４フィルタ部１ｄは、表面側からPCシート６に向かって、ベタ印刷層２→空隙→青色印刷層４→赤色印刷層５→ベタ印刷層２１→青色印刷層４→赤色印刷層５→ベタ印刷層２２→PCシート６となる。
【００１９】
つまり、実施例１では、比較的厚い印刷層の途中に、ベタ印刷層を配置した印刷構造にしている。
図４、図５は、従来の熱転写印刷工法の重ね印刷における印刷構造を示す断面図である。また、この断面図は、図３と比較するために対応させた図である。
【００２０】
図４、図５における従来の熱転写印刷工法の重ね印刷における印刷構造では、ベタ印刷層２，２１，２２は、表面側またはPCシート６側に偏って配置されている。
【００２１】
次に作用を説明する。
[重ね印刷におけるインクの割れ（断裂）防止作用]
(A)印画時
図６は、図５の従来の印刷構造における印画時の状態を示す説明図である。図７は、実施例１の印刷構造における印画時の状態を示す説明図である。
熱転写印刷工法では、図６、図７に示すように、インクリボン７２に予め付着させているインクを、サーマルヘッド７１によりPETフィルム８へ重ねていくよう印画する。
【００２２】
この印画時において、図５に示した、ベタ印刷層２１，２２がPCシート６側へ偏った従来の印刷構造のものでは、印画時に膜厚の差によってサーマルヘッドが追跡しきれず、ベタ印刷層２１，２２の割れ（断裂）が発生する（図６参照）。
これに対して、図３に示した、ベタ印刷層を印刷層の途中に挟むように配置した実施例１の印刷構造のものでは、膜厚の厚い印刷層（赤色印刷層５）の間にベタ印刷が位置することから、インクの割れが発生しにくい（図７参照）。
また、図３に示すように、青色印刷層４、赤色印刷層５をそれぞれ続けて印刷するのではなく、青色印刷層４と赤色印刷層５を重ねるようにすることで、段差を小さくしさらに、インクの割れを発生しにくくする。
【００２３】
(b)転写時
図８は、図４の従来の印刷構造における転写時の状態を示す説明図である。図９は、実施例１の印刷構造における転写時の状態を示す説明図である。
熱転写印刷工法では、図８、図９に示すように、PETフィルム８へ重ねて印画したものを転写ローラー９により加熱圧着して、PCシート６へ転写させる。
【００２４】
この転写時において、図４に示した、ベタ印刷層２１，２２がPCシート６と反対の表面側へ偏った従来の印刷構造のものでは、転写時にインクの厚みの差によってインクの割れ（断裂）が発生する（図８参照）。
これに対して、図３に示した、ベタ印刷層を印刷層の途中に挟むように配置した実施例１の印刷構造のものでは、膜厚の厚い印刷層（赤色印刷層５）の間にベタ印刷が位置することから、インクの割れが発生しにくい（図９参照）。
また、図３に示すように、青色印刷層４、赤色印刷層５をそれぞれ続けて印刷するのではなく、青色印刷層４と赤色印刷層５を重ねるようにすることで、段差を小さくしさらに、インクの割れを発生しにくくする。
【００２５】
このように実施例１の印刷構造では、熱転写印刷工法の重ね印刷において、インクの割れを防止することができる。
【００２６】
[黒印刷を省略する作用]
実施例１の印刷構造では、黒く見える第４フィルタ部１ｄを、青色印刷層４と赤色印刷層５を重ねることにより、構成している。
図１０は、印刷部分の波長特性を示すグラフ図である。
青色印刷層４の特性を線１０１で、赤色印刷層５の特性を線２０１で示す。
【００２７】
第４フィルタ部１ｄにおいて、色印刷層４と赤色印刷層５を重ねることは、以下に説明するような波長特性となる。可視の波長は、一般的に３８０〜７７０ｎｍ程度と言われている。すると、図１０において、およそ５５０ｎｍ以下の可視波長部分では、赤色印刷層５の線２０１の特性から通過する光が吸収され、黒く見えることになり、また、およそ５５０ｎｍ以上の可視波長部分では、青色印刷層４の線１０１の特性から通過する光が吸収され、黒く見えることになる。
そのため、結果的には、青色印刷層４と赤色印刷層５を重ねた部分では、透過させるように照明を点灯させても、黒く見えることになる。
また、表面が青色印刷層４と赤色印刷層５であると外光（反射光）によって表面の印刷色が見えてしまうため、その防止策として図３などのように、表面にスモーク印刷層のベタ印刷２を設けることにより黒の表面色とできる。
【００２８】
これにより、実施例１の印刷構造を用いたものでは、赤色部分、青色部分、黒色部分を、青色印刷層４と赤色印刷層５のみで構成することができ、コストや作業性等に非常に有利となる。
【００２９】
[可変表示作用]
実施例１の印刷構造は、２つの表示を行う可変表示構造に用いたものである。
図１１は、実施例１の印刷構造を用いた可変表示構造により、２つの表示を切り替えた状態を示す説明図である。
【００３０】
可変表示は、図１、図３に示す印刷構造の下方に赤色光と発する光源と青色光を発する光源を設けて切り替えて点灯させる。
すると、赤色光は、図１０において、線２１１で示す波長特性の光となる。
そのため、第１フィルタ部１ａは、青色印刷層４のみのため線１０１の特性であるので、赤色光は通過せず、黒く見えることになる。
次に、第２フィルタ部１ｂは、赤色印刷層５のみのため線２０１の特性であるので、赤色光が通過し、赤く見える。
【００３１】
次に、第３フィルタ部１ｃでは、赤色光を輝度調整して第２フィルタ部１ｂの表示色と近似するように通過させる。
次に第４フィルタ部１ｄは、上記説明のように、点灯光の特性に関わらず、黒く見せることになる。
以上の特性により、実施例１の印刷構造に赤色光を通過させた場合には、図１１(a)に示すように、第１表示１１の「Ａ」が赤く表示されることになる。
【００３２】
次に、光源を切り替えて、青色の点灯光を印刷構造に通過させるようにすると、青色光は、図１０において、線１１１で示す波長特性の光となる。
そのため、第１フィルタ部１ａは、青色印刷層４のみのため線１０１の特性で青色光が通過し、青く見える。
次に、第２フィルタ部１ｂは、赤色印刷層５のみのため線２０１の特性であるので、青色光は通過せず、黒く見えることになる。
【００３３】
次に、第３フィルタ部１ｃでは、青色光を輝度調整して第１フィルタ部１ａの表示色と近似するように通過させる。
次に第４フィルタ部１ｄは、上記説明のように、点灯光の特性に関わらず、黒く見せることになる。
以上の特性により、実施例１の印刷構造に青色光を通過させた場合には、図１１(b)に示すように、第１表示１２の「Ｅ」が青く表示されることになる。
【００３４】
また、光源を点灯させない場合には、ベタ印刷層２の調光により全体に黒い表示となり、また、外光の侵入、反射に対してもベタ印刷層２の調光により全体に黒い表示となる。また、ベタ印刷層２の調光により内部の印刷構造が外光により見えることを防止する。
このように実施例１の印刷構造を用いた可変表示構造では、同じ位置に２つの表示を、色を切り替えて表示させることができる。
【００３５】
次に効果を説明する。実施例１の印刷構造にあっては、下記に列挙する効果を得ることができる。
【００３６】
(1)波長透過特性の異なる複数の印刷層を有する透光性のあるカラーフィルタ１に、波長の異なる複数の光源の光を切り換えて投光し、同じ位置で重なる複数の表示が切り換えて行われる可変表示において、カラーフィルタ１は、インクがない部分を有することで間欠状のインクの配置となる青色印刷層４及び赤色印刷層５と、インクが１面に有することで連続したインクの配置となるベタ印刷層２，２１，２２とを有し、少なくともベタ印刷層２，２１，２２と、複数の青色印刷層４及び赤色印刷層５を重ね印刷する印刷構造であって、複数重なる青色印刷層４及び赤色印刷層５の間にベタ印刷層２１，２２を挟むため、熱転写印刷工法の重ね印刷において、インクの割れ（断裂）を防止することができる。
【００３７】
(2)間欠印刷層は、第１光源の波長のみを透過させる赤い印刷部分の赤色印刷層５第１印刷層と、第２光源の波長のみを透過させる青い印刷部分の青色印刷層４第２印刷層で構成し、第１光源の波長と第２光源の波長を透過させない背景部分となり黒く見せる第４フィルタ部１ｄとなる印刷層を、赤色印刷層５と青色印刷層４を重ねることで構成したため、コストを抑制することができ、作業工程を容易にすることができる。
【００３８】
(3)ベタ印刷層２は、複数の光源の光を透過させ、且つ調光を行うスモーク層であるため、外光による印刷構造が外部から見えることを防止できる。
【００３９】
(4)印刷は熱転写印刷であり、青色印刷層４及び赤色印刷層５の１層は、ベタ印刷層２１，２２の１層よりも厚みが大きいため、よりインクの割れやすい構造となるも、ベタ印刷層２１，２２を挟むため、インクの割れ（断裂）を防止することができる。
(5)複数重なる間欠印刷層は、同じ間欠状のインクの配置である印刷層が連続して重ならないよう異なる間欠状のインク配置となっている印刷層を間に挟むため、印刷層の段差が大きく生じないようにして、熱転写印刷工法の重ね印刷において、インクの割れ（断裂）をさらに確実に防止することができる。
【００４０】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
複数の前記光源の光を透過させ、且つ調光を行うベタ印刷層は、スモーク層以外であってもよく、例えば、透過率が波長で異なるようにして色度を調整するものであってもよい。
【産業上の利用可能性】
【００４１】
本願の可変表示構造は、スイッチ等のように、簡易的な表示が必要な部位への利用は容易である。
【図面の簡単な説明】
【００４２】
【図１】実施例１の可変表示構造のカラーフィルタの正面図である。
【図２】実施例１の印刷構造における各印刷層を示す説明図である。
【図３】図１のＡ−Ａ断面図である。
【図４】従来の熱転写印刷工法の重ね印刷における印刷構造を示す断面図である。
【図５】従来の熱転写印刷工法の重ね印刷における印刷構造を示す断面図である。
【図６】図５の従来の印刷構造における印画時の状態を示す説明図である。
【図７】実施例１の印刷構造における印画時の状態を示す説明図である。
【図８】従来の印刷構造における転写時の状態を示す説明図である。
【図９】実施例１の印刷構造における転写時の状態を示す説明図である。
【図１０】印刷部分の波長特性を示すグラフ図である。
【図１１】実施例１の印刷構造を用いた可変表示構造により、２つの表示を切り替えた状態を示す説明図である。
【符号の説明】
【００４３】
１  カラーフィルタ
１ａ  第１フィルタ部
１ｂ  第２フィルタ部
１ｃ  第３フィルタ部
１ｄ  第４フィルタ部
２  ベタ印刷層
２１  ベタ印刷層
２２  ベタ印刷層
３  中間色印刷層
４  青色印刷層
５  赤色印刷層
６  PCシート
８  PETフィルム
９  転写ローラー
１１  第１表示
１２  第２表示
７１  サーマルヘッド
７２  インクリボン
１０１  （波長特性を示す）線
１１１  （波長特性を示す）線
２０１  （波長特性を示す）線
２１１  （波長特性を示す）線
【図１】
2008256996.tif 000003
【図２】
2008256996.tif 000004
【図３】
2008256996.tif 000005
【図４】
2008256996.tif 000006
【図５】
2008256996.tif 000007
【図６】
2008256996.tif 000008
【図７】
2008256996.tif 000009
【図８】
2008256996.tif 000010
【図９】
2008256996.tif 000011
【図１０】
2008256996.tif 000012
【図１１】
2008256996.tif 000013